(57)【要約】【課題】  施錠状態の開閉体をバール等の工具を用いて故意に短時間で開放することを防止できるサッシとする。【解決手段】  サッシ枠１０の一方の縦枠１３と開閉体（障子戸２０）の戸先框２３とに亘って錠装置３０を取付け、この錠装置３０の杆体３３における錠３４よりも室内寄り位置に錠支え部３６を設けて、バール等の工具を用いて錠３４を室内側に向けて変位して破壊しようとした時に、その錠３４を錠支え部３６で補強して簡単に破壊しないようにしたサッシで、このサッシによれば、施錠状態の開閉体をバール等の工具を用いて故意に短時間で開放することを防止できる。【選択図】  図４
2005256386.tif 000002
【特許請求の範囲】
【請求項１】
サッシ枠に開閉体を室内外側方向に回動自在に取付け、このサッシ枠の一方の縦枠と開閉体の戸先框とに亘って錠装置を取付け、
前記錠装置は、開閉体の戸先框に取付けた操作部材と、この操作部材によって上下に移動する杆体と、この杆体に取付けた錠と、一方の縦枠に取付けた錠受を備え、その錠が上下方向一方から他方に向けて移動すると錠受に係合して施錠し、この状態から前記錠が上下方向一方に移動すると錠受と離脱して解錠する構造で、
前記杆体における錠よりも室内側寄り位置に、前記錠が外力によって室内側に変位しないように補強する錠支え部を備えていることを特徴とするサッシ。
【請求項２】
サッシ枠に開閉体を室内外側方向に回動自在に取付け、このサッシ枠の一方の縦枠と開閉体の戸先框とに亘って錠装置を取付け、
前記錠装置は、開閉体の戸先框に取付けた操作部材と、この操作部材によって上下に移動する錠と、一方の縦枠に取付けた錠受を備え、その錠が上下方向一方から他方に向けて移動すると錠受に係合して施錠し、この状態から前記錠が上下方向一方に移動すると錠受と離脱して解錠する構造で、
前記戸先框に垂れ下がり防止部品を、前記一方の縦枠に取付けた受け部材の上下方向他方に隣接して取付けたことを特徴とするサッシ。
【請求項３】
受け部材を錠受とした請求項２記載のサッシ。
【請求項４】
サッシ枠に開閉体を室内外側方向に回動自在に取付け、このサッシ枠の一方の縦枠と開閉体の戸先框とに亘って錠装置を取付け、
前記錠装置は、開閉体の戸先框に取付けた操作部材と、この操作部材によって上下に移動する錠と、一方の縦枠に取付けた錠受を備え、その錠が上下方向一方から他方に向けて移動すると錠受に係合して施錠し、この状態から前記錠が上下方向一方に移動すると錠受と離脱して解錠する構造で、
前記サッシ枠の上部と開閉体の上部に亘って、開閉体の下方及び室内外側方向の移動をロックするサブロック装置を取付けたことを特徴とするサッシ。
【請求項５】
開閉体の上框に取付けたサブロックと、サッシ枠の上枠に取付けたロック受けでサブロック装置とし、
前記サブロックは、ロックピンと操作部材を備え、その操作部材の操作部が室内側に位置して室内側からロックピンを移動操作できる構成とし、
前記ロック受けは、ロックピンが挿入、抜け出し自在なロック溝を有する請求項４記載のサッシ。
【発明の詳細な説明】
【技術分野】
【０００１】
本発明は、縦辷り出し窓、辷り出し窓や玄関ドア、勝手口ドア等のサッシ枠に障子戸、扉等の開閉体を室内外側方向に回動自在に取付けたサッシに関する。
【背景技術】
【０００２】
サッシ枠に開閉体を室内外側方向に回動自在に取付けたサッシにおいては、サッシ枠の一方の縦枠と開閉体の戸先框に亘って錠装置を取付けている。
例えば、特許文献１に開示されたように、サッシ枠の一方の縦枠に錠受けを取付け、開閉体の戸先框にハンドルと、このハンドルで移動される錠を取付け、ハンドルを操作して錠を移動することで錠受けに係脱して施錠、解錠する錠装置を取付けている。
【０００３】
【特許文献１】特開平９−４１７６２号公報
【発明の開示】
【発明が解決しようとする課題】
【０００４】
前述した従来のサッシにあっては、サッシ枠と開閉体との間にバール等の工具を差し込みこじるなどすることで錠が錠受けから離脱することがあり、施錠状態の開閉体をバール等の工具を用いて故意に短時間で開放でき、防犯上好ましくない。
【０００５】
本発明の目的は、施錠状態の開閉体をバール等の工具を用いて故意に短時間で開放することを防止でき、防犯上好ましいサッシを提供することである。
【課題を解決するための手段】
【０００６】
第１の発明は、サッシ枠に開閉体を室内外側方向に回動自在に取付け、このサッシ枠の一方の縦枠と開閉体の戸先框とに亘って錠装置を取付け、
前記錠装置は、開閉体の戸先框に取付けた操作部材と、この操作部材によって上下に移動する杆体と、この杆体に取付けた錠と、一方の縦枠に取付けた錠受を備え、その錠が上下方向一方から他方に向けて移動すると錠受に係合して施錠し、この状態から前記錠が上下方向一方に移動すると錠受と離脱して解錠する構造で、
前記杆体における錠よりも室内側寄り位置に、前記錠が外力によって室内側に変位しないように補強する錠支え部を備えていることを特徴とするサッシである。
【０００７】
第２の発明は、サッシ枠に開閉体を室内外側方向に回動自在に取付け、このサッシ枠の一方の縦枠と開閉体の戸先框とに亘って錠装置を取付け、
前記錠装置は、開閉体の戸先框に取付けた操作部材と、この操作部材によって上下に移動する錠と、一方の縦枠に取付けた錠受を備え、その錠が上下方向一方から他方に向けて移動すると錠受に係合して施錠し、この状態から前記錠が上下方向一方に移動すると錠受と離脱して解錠する構造で、
前記戸先框に垂れ下がり防止部品を、前記一方の縦枠に取付けた受け部材の上下方向他方に隣接して取付けたことを特徴とするサッシである。
【０００８】
前述の受け部材を錠受とすることが好ましい。
【０００９】
第３の発明は、サッシ枠に開閉体を室内外側方向に回動自在に取付け、このサッシ枠の一方の縦枠と開閉体の戸先框とに亘って錠装置を取付け、
前記錠装置は、開閉体の戸先框に取付けた操作部材と、この操作部材によって上下に移動する錠と、一方の縦枠に取付けた錠受を備え、その錠が上下方向一方から他方に向けて移動すると錠受に係合して施錠し、この状態から前記錠が上下方向一方に移動すると錠受と離脱して解錠する構造で、
前記サッシ枠の上部と開閉体の上部に亘って、開閉体の下方及び室内外側方向の移動をロックするサブロック装置を取付けたことを特徴とするサッシである。
【００１０】
前述のサッシにおいては、開閉体の上框に取付けたサブロックと、サッシ枠の上枠に取付けたロック受けでサブロック装置とし、
前記サブロックは、ロックピンと操作部材を備え、その操作部材の操作部が室内側に位置して室内側からロックピンを移動操作できる構成とし、
前記ロック受けは、ロックピンが挿入、抜け出し自在なロック溝を有することが好ましい。
【発明の効果】
【００１１】
請求項１に係る発明によれば、バール等の工具を用いて錠を室内側に変位して破壊等して錠受と離脱しようとした際に、その錠が錠支え部で補強されて破壊等して錠受と離脱し難くなる。
よって、施錠状態の開閉体をバール等の工具を用いて故意に短時間で開放することを防止でき、防犯上好ましいサッシである。
【００１２】
請求項３に係る発明によれば、バール等の工具を用いて開閉体の戸先框寄りを垂れ下げようとした際に、開閉体が垂れ下がると錠が錠受けからはずれてしまい解錠されてしまう。それを防ぐために、垂れ下がり防止部品によって垂れ下がりを防止することができる。
よって、施錠状態の開放体をバール等の工具を用いて故意に短時間で開放することを防止でき、防犯上好ましいサッシである。
【００１３】
請求項４に係る発明によれば、サッシ枠の上部と開閉体の上部をサブロック装置でロックした状態で、バール等の工具を用いて錠装置を破壊しても開閉体を開放できないし、開閉体をバール等の工具を用いて無理に下方に移動することを防止できる。
よって、施錠状態の開閉体をバール等の工具を用いて故意に、短時間で開放することを防止でき、防犯上好ましいサッシである。
【発明を実施するための最良の形態】
【００１４】
図１に示すように、サッシ枠１０に開閉体、例えば障子戸２０を開放姿勢と同じ姿勢とに亘って室内外側方向に回動自在に取付けてサッシとしてある。
前記サッシ枠１０は、上枠１１と下枠１２と左右の縦枠１３を方形枠組みしてある。
前記障子戸２０は、上框２１と下框２２と戸先框２３と戸尻框２４を方形框組みした内部にガラスを装着してある。
前記サッシ枠１０の上枠１１と障子戸２０の上框２１及びサッシ枠１０の下枠１２と障子戸２０の下框２２に亘ってフリクションステー２５が図１、図２に示すようにそれぞれ取付けられて前述のサッシは縦辷り出し窓である。
これに限ることはなく、前述の障子戸をサッシ枠１０の縦枠１３にヒンジで取付けた外開き窓や、開閉体を扉とし、その扉をヒンジでサッシ枠１０の縦枠１３に室内外側方向に回動自在に取付けたドア等でも良い。
つまり、本発明に係るサッシとしては、開閉体が開放姿勢の時に、その開閉体の戸先框２３が室外側に突出するサッシが好ましい。
【００１５】
図１に示すように、一方の縦枠１３と戸先框２３に亘って錠装置３０が取付けてある。
前記錠装置３０は、戸先框２３に設けた操作部材３１と、グレモン機構３２と、杆体３３と、この杆体３３に設けた錠３４と、前記一方の縦枠１３に設けた錠受３５を備え、操作部材３１を操作することで杆体３３が上下方向に移動して錠３４が錠受３５に係脱して施錠、解錠する。
具体的には、前記錠装置３０の錠３４は上下方向一方から他方に向けて移動、例えば下から上に向けて移動することで錠受３５に係合して施錠状態となり、この状態から上下方向一方、例えば下方に移動することで錠受３５と離脱して解錠状態となる。
この実施の形態では、杆体３３に複数の錠３４が上下方向に間隔を置いて取付けてあり、この複数の錠３４と対応して複数の錠受３５が縦枠１３に取付けてあり、複数の位置で施錠できるようにしてある。これに限ることはなく、錠３４と錠受３５は１コでも良い。
【００１６】
図３に示すように、前記錠装置３０の錠３４が外力によって室内側に変位しないように補強する錠支え部３６が杆体３３に設けてある。
例えば、杆体３３の室内寄りに外向き板状の錠支え部３６を一体に設け、この錠支え部３６が錠３４よりも室内側に位置させる。
【００１７】
このようにすることで、一方の縦枠１３と戸先框２３との間からバール等の工具を挿入し、図４に示すように、そのバール等の工具１を矢印ａ方向にこじることで錠３４に矢印ｂで示すように室内側に向う外力を作用した際に、その錠３４が錠支え部３６に当って補強されるから、錠３４が室内側に大きく変位したり、破壊したりすることがない。
よって、錠３４が杆体３３から外れて錠受３５と離脱して解錠状態となることがなく、施錠状態の障子戸２０をバール等の工具を用いて故意に短時間に開放できる。
【００１８】
つまり、前述の錠支え部３６が無い場合には錠３４が室内側に大きく変位して杆体３３から外れ、その錠３４が錠受３５から離脱して解錠状態となるので、施錠状態の障子戸２０をバール等の工具を用いて故意に開放できる。
特に、錠３４が、杆体３３にカシメで固定したピン３４ａにローラ３４ｂと鍔３４ｃを設けたもので、そのローラ３４ｂを錠受３５の室内側に向う鉤片３５ａに係止して施錠するタイプであると、そのローラ３４ｂを介してピン３４ａに室内側に向う外力が作用すると、ピン３４ａのカシメ部が破壊して外れるから、前述のようにバール等の工具を用いて施錠状態の障子戸２０を故意に開放できる。
前記杆体３３は戸先框２３のあり溝２３ｂに摺動自在に嵌挿して取付けてある。
【００１９】
次に、サッシ枠１０と障子戸２０の具体形状の一例を説明するが、これに限ることはない。
図２と図３に示すように、前記上枠１１の内面１１ａと上框２１の外面２１ａとの間、下枠１２の内面１２ａと下框２２の外面２２ａとの間、縦枠１３の内面１３ａと戸先框２３、戸先框２４の外面２３ａ，２４ａとの間は面内方向に離隔して空間部を有している。前記内面とは見付け方向の内側の面で、外面とは見付け方向の外側の面である。
そして、上枠１１と上框２１との間の空間部、下枠１２と下框２２との間の空間部に前述のフリクションステー２５がそれぞれ取付けてある。
前記上枠１１、下枠１２、縦枠１３は、金属製室外側部材４０の室内寄り内面に室内側樹脂カバー材４１が取付けてある。なお、下枠１２の金属製室外側部材４０は形材断熱である。
前記上框２１、下框２２、戸当り框２３、戸尻框２４は、金属製室外側部材４２と樹脂製室内側部材４３で内向凹部４４を有し、この内向凹部４４に複層ガラス４５が装着してある。
【００２０】
前記錠装置３０のグレモン機構３２は図５〜図７に示すように、基板５０に蓋５１を固着してガイド溝５２を有するケース５３と、このガイド溝５２に摺動自在に設けたスライダー５４と、基板５０に回動自在に設けたカム５５を備え、そのカム５５の角穴５６に操作部材３１で回転される角軸（図示せず）が嵌合連結してある。カム５５の先端部がスライダー５４の凹部５４ａに係止連結されてカム５５が回動することでスライダー５４が摺動する。
このスライダー５４に、図５に仮想線で示すように杆体３３が取付けられる。
【００２１】
次に、第２の実施の形態を説明する。
この実施の形態は、サッシ枠と障子戸との間にバール等の工具を入れてこじることで障子戸の戸先框寄りを垂れ下げ、錠を下方に移動して錠受から離脱して解錠することを防止するために、図８に示すように戸先框２３に垂れ下がり防止部品６０を取付け、この垂れ下がり防止部品６０を縦枠１３に取付けた受け部材の上下方向他方に隣接させ、例えば錠受３５よりも上方に位置させ、バール等の工具を用いて障子戸２０を無理に押し下げようとした際に、その垂れ下がり防止部品６０が錠受３５に接することで障子戸２０の戸先框２３寄りが垂れ下がることを防止し、錠３４が錠受３５から離脱しないようにして障子戸２０を故意に短時間で開放することを防止した。
【００２２】
図８においては、杆体３３を上下方向に長くし、この杆体３３の下部寄りに１つの錠３４を取付け、上部寄りに２つの錠３４を取付けて３点で施錠するようにしてあるが、これに限ることはない。
前記一方の縦枠１３の下部寄りに１つの錠受３５を取付け、上部寄りに２つの錠受３５を取付けてある。
そして、操作部材３１によって杆体３３を上方に移動すると各錠３４が上方に移動して各錠受３５にそれぞれ係合して施錠状態となり、杆体３３を下方に移動すると各錠３４が下方に移動して各錠受３５からそれぞれ離脱して解錠状態となるようにしてある。
このようにすることで、下方寄り１ヶ所と上方寄り２ヶ所の３ヶ所で施錠できるから防犯性が向上する。
【００２３】
次に、具体形状を図９〜図１２に基づいて説明する。
前記垂れ下がり防止部品６０は、杆体３３の上下方向（長手方向）の長孔３３ａを挿通して戸先框２３の外面２３ａに固着してある。例えば、段付きのビス６１にカラー６２を嵌めて垂れ下がり防止部品６０とし、その段付きのビス６１を戸先框２３の外側壁２３ｃの孔６３を挿通して裏板６４に螺合して取付けてある。
前記錠受３５は取付縦板３５ｂと両側縦板３５ｃで横断面コ字形状で、かつ上横板３５ｄを備え、この両側縦板３５ｃの下部寄りは切欠きされている。
そして、解錠状態の時には錠３４は図１１の実線で示すように両側縦板３５ｃの切欠部に位置して錠受３５と離脱している。
施錠状態の時には錠３４は図１１の仮想線で示すように両側縦板３５ｃ間に入り込んで錠受３５と係止している。
前述のように錠３４が上下に移動する時には杆体３３も同時に上下に移動するが、この時に、上下方向の長孔３３ａがあるので垂れ下がり防止部品６０と干渉することはない。
【００２４】
なお、杆体３３が何らかの原因で所定量以上に上下方向に移動すると、その長孔３３ａが垂れ下がり防止部品６０と干渉するので、杆体３３が抜け落ちることを防止できる。
つまり、垂れ下がり防止部品６０は障子戸の垂れ下がりと杆体３３の抜け落ちを防止する。
【００２５】
前記垂れ下がり防止部品６０は錠受３５の上横板３５ｄよりも上方に位置し、障子戸２０の戸先框側が所定量（例えば５ｍｍ）垂れ下がると上横板３５ｄに当る。
これによって、障子戸２０の垂れ下がりを防止する。
【００２６】
図１０に示すように、錠３４のピン３４ａは杆体３３にワッシャ３４ｄを介してカシメて固着してあるので、錠３４の取付け強度が大である。
図９、図１０に示す縦枠１３、戸先框２３は形材断熱であるが、前述のように金属製部材と樹脂カバーを用いたものや、金属のみから成るものであっても良い。
【００２７】
前記垂れ下がり防止部品６０が錠受３５に当るようにして受け部材を錠受３５として部品点数を少なくしたが、これに限ることはなく、受け部材を錠受３５とは別に縦枠１３に取付けても良い。
また、杆体３３の長孔３３ａを挿通して垂れ下がり防止部品６０を戸先框２３に取付けしたが、杆体３３とは関係なく、戸先框２３に取付けても良い。
【００２８】
次に、第３の実施の形態を説明する。
この実施の形態は、図１３に示すように、サッシ枠１０の上部と障子戸２０の上部に亘ってサブロック装置７０を取付け、障子戸２０を下方及び室内外側方向に動かないようにロックし、サッシ枠１０と障子戸２０の間からレバー等の工具を入れてこじることで錠装置３０を破壊しようとした場合に、その錠装置３０の破壊をやりずらくしたり、仮に錠装置３０を破壊した場合でも障子戸２０を故意に開放できないようにしたサッシである。
【００２９】
図１３に示すように、サブロック装置７０は上枠１１と上框２１に亘って取付ければ、バール等の工具で破壊されにくいので、好ましく、上枠１１、上框２１の戸先框寄り位置に亘って取付ければ前述したように障子戸２０の戸先框２３寄りの垂れ下がりを防止できるので、最も好ましい。
なお、図１３においては錠３４と錠受３５が下方寄りと上方寄りにそれぞれ取付けて２点で施錠するようにしてあるが、これに限ることはない。
【００３０】
前記サブロック装置７０の具体例を図１４〜図１７に基づいて説明する。
前記サブロック装置７０は上框２１の外面２１ａに取付けたサブロック７１と上枠１１の内面１１ａに取付けたロック受け７２を備えている。
前記サブロック７１は、取付部材７３に移動自在に設けたロックピン７４と、このロックピン７４を移動する操作部材７５を備えている。その取付部材７３が上框２１の外面２１ａに取付けられ、操作部材７５の操作部材７５ａが室内側に位置して室内側から操作できるようにしてある。
前記ロック受け７２はロックピン７４が挿入、抜け出し自在なロック溝７６を有し、このロック溝７６にロックピン７４が挿入すると上下方向（下方）及び室内外側方向にロックする。
【００３１】
前記操作部材７５は横片７５ｂと縦片７５ｃで鉤形状で、その横片７５ｂにロックピン７４が取付けてあると共に、縦片７５ｃに操作部７５ａ（つまみ）が設けてある。
前記ロックピン７４は、鍔付きのピン７４ａの外周面にカラー７４ｂを設け、このピン７４ａを横片７５ｂの孔に挿入してカシメで固着してある。このピン７４ａの鍔７４ｃはカラー７４ｂよりも大径である。
前記取付部材７３は基板７３ａと表面板７３ｂとの間に前記横片７５ｂを摺動自在に支承し、表面板７３ｂの長孔７３ｃからロックピン７４を上方に突出している。
【００３２】
前記基板７３ａにはピン保持部材７７が一体的に設けてあり、このピン保持部材７７は、前記表面板７３ｂの長孔７３ｃとで前記カラー７４ｂの径よりも幅狭いガイド溝部を形成するピンガイド部７７ａと、このピンガイド部７７ａの左右両側部と連続し、前記長孔７３ｃとでカラー７４ｂの径よりも幅広い溝部を形成するピン挿入部７７ｂを有し、後述するようにロックピン７４がロック位置、ロック解除位置であるとピン挿入部７７ｂに位置し、かつピンガイド部７７ａを拡開変形して前述のロック位置とロック解除位置とに移動する。
このようであるから、ロックピン７４のぐらつきを防止できるし、操作部７５ａを手で持ってロックピン７４を移動することで、ロック位置、ロック解除位置に移動したことを感覚的に知ることができ、操作性が向上する。
【００３３】
前記ロック受け７２は、取付板７２ａと、ロック用板７２ｂを備え、このロック用板７２ａに前述のロック溝７６が形成してあると共に、その取付板７２ａを上枠１１の内面１１ａに固着して取付ける。
前記ロック溝７６はカラー７４ｂの径よりも幅広で、かつ鍔７４ｃを径よりも幅狭で、そのカラー７４ｂがロック溝７６に挿入することで室内外側方向の動きをロックし、かつ鍔７４ｃがロック用板７２ｂに接して下方に移動することをロックする。
前記取付部材７３を詳細に説明すると、前記基板７３ａに設けた係止片８０間に表面板７３ｂの切欠凹部８１をスナップ式に係合して基板７３ａと表面板７３ｂを仮固定する。
操作部材７５の横片７５ｂに設けた摺動子８２を基板７３ａのガイド溝８３に摺動自在に嵌合し、操作部材７５が左右方向にスムーズに摺動し、かつ前後方向には動かないようにして前記カラー７４ｂをピン保持部材７７に押しつけ保持している。
【図面の簡単な説明】
【００３４】
【図１】サッシの概略内観図である。
【図２】サッシの詳細縦断面図である。
【図３】サッシの詳細横断面図である。
【図４】図３のＡ部拡大図である。
【図５】グレモン機構の正面図である。
【図６】グレモン機構の側面図である。
【図７】グレモン機構の底面図である。
【図８】サッシの概略内観図である。
【図９】図８のＢ−Ｂ詳細拡大断面図である。
【図１０】図８のＣ−Ｃ詳細拡大断面図である。
【図１１】図９のＤ−Ｄ断面図である。
【図１２】杆体部分の正面図である。
【図１３】サッシの概略内観図である。
【図１４】図１３のＥ−Ｅ詳細拡大断面図である。
【図１５】サブロック装置の正面図である。
【図１６】サブロック装置のロックピン部分の平面図である。
【図１７】サブロック装置の分解斜視図である。
【符号の説明】
【００３５】
１０…サッシ枠、１１…上枠、１２…下枠、１３…縦枠、２０…障子戸（開閉体）、２１…上框、２２…下框、２３…戸先框、２４…戸尻框、３０…錠装置、３１…操作部材、３３…杆体、３４…錠、３５…錠受、３６…錠支え部、６０…垂れ下がり防止部品、７０…サブロック装置、７１…サブロック、７２…ロック受け、７３…取付部材、７４…ロックピン、７５…操作部材、７５ａ…操作部、７６…ロック溝。
【図１】
2005256386.tif 000003
【図２】
2005256386.tif 000004
【図３】
2005256386.tif 000005
【図４】
2005256386.tif 000006
【図５】
2005256386.tif 000007
【図６】
2005256386.tif 000008
【図７】
2005256386.tif 000009
【図８】
2005256386.tif 000010
【図９】
2005256386.tif 000011
【図１０】
2005256386.tif 000012
【図１１】
2005256386.tif 000013
【図１２】
2005256386.tif 000014
【図１３】
2005256386.tif 000015
【図１４】
2005256386.tif 000016
【図１５】
2005256386.tif 000017
【図１６】
2005256386.tif 000018
【図１７】
2005256386.tif 000019